(57)【要約】      （修正有）【課題】１種類の電線曲げ部材で複数の曲げ方向に対応する。【解決手段】コネクタ１０は端子収容部２１が設けられたハウジング２０と、端子収容部２１の一部がハウジング２０の外面から突出して設けられた装着部２３と、装着部２３に装着される被装着部４１を有し、装着部２３から取り出された電線Ｗをその取出方向とは異なる方向に曲げる電線曲げ部材４０とを備え、装着部２３は、複数の外周面２５を有する正多角形の外周形状をなしており、被装着部４１は、３６０°を内周面４４の総数で除することによって算出された角度毎に装着部２３に対して選択的に装着可能とされた構成とした。【選択図】図１
2015219958.tif 000002
【特許請求の範囲】
【請求項１】
端子収容部が設けられたハウジングと、
前記端子収容部の一部が前記ハウジングの外面から突出して設けられた装着部と、
前記装着部に装着される被装着部を有し、前記装着部から取り出された電線をその取出方向とは異なる方向に曲げる電線曲げ部材とを備え、
前記装着部と前記被装着部の一方は、複数の周面を有する正多角形の外周形状をなしており、同他方は、３６０°を前記周面の総数で除することによって算出された角度毎に前記一方に対して選択的に装着可能とされたコネクタ。
【請求項２】
前記装着部は、前記正多角形の外周形状をなす外周面を有し、この外周面から突出する形態の外周凸部が周設されており、前記被装着部には、前記外周面に沿った内周面から凹んだ形態の内周凹部が周設されている請求項１に記載のコネクタ。
【請求項３】
前記電線曲げ部材は、一対の半割体を互いに組み付けることで構成されている請求項１または請求項２に記載のコネクタ。
【請求項４】
一方の前記半割体と他方の前記半割体とは、ヒンジを介して互いに連結されている請求項３に記載のコネクタ。
【発明の詳細な説明】
【技術分野】
【０００１】
本明細書によって開示される技術は、電線を曲げる電線曲げ部材を備えたコネクタに関する。
【背景技術】
【０００２】
従来、ハウジングから電線を取り出す電線取出部材を備えた電線接続器として、例えば特開２０１１−４９０４９号公報（下記特許文献１）に記載のものが知られている。この電線取出部材は、一対の電線取出部を有しており、この電線取出部は、選択的に１８０°反転してハウジングに装着可能とされている。
【先行技術文献】
【特許文献】
【０００３】
【特許文献１】特開２０１１−４９０４９号公報
【発明の概要】
【発明が解決しようとする課題】
【０００４】
しかしながら、上記の電線取出部材は、電線の取出方向を前後方向とする場合と、電線の取出方向を左右方向とする場合とで、２種類用意しなければならず、部品点数が多くなることに加えて、２種類の金型を作成する必要がある。
【課題を解決するための手段】
【０００５】
本明細書によって開示されるコネクタは、端子収容部が設けられたハウジングと、前記端子収容部の一部が前記ハウジングの外面から突出して設けられた装着部と、前記装着部に装着される被装着部を有し、前記装着部から取り出された電線をその取出方向とは異なる方向に曲げる電線曲げ部材とを備え、前記装着部と前記被装着部の一方は、複数の周面を有する正多角形の外周形状をなしており、同他方は、３６０°を前記周面の総数で除することによって算出された角度毎に前記一方に対して選択的に装着可能とされた構成とした。
【０００６】
このような構成によると、被装着部を装着部に対して所定の角度毎に選択的に装着可能とされているため、電線の曲げ方向に応じて複数の電線曲げ部材を用意しなくてもよい。ここで、所定の角度とは、正三角形の場合、１２０°であり、正四角形（正方形）の場合、９０°であり、正五角形の場合、７２°であり、正六角形の場合、６０°である。したがって、１種類の電線曲げ部材で複数の曲げ方向に対応することができ、電線曲げ部材を成形する金型を１つだけ用意すれば足りる。
【０００７】
本明細書によって開示されるコネクタは、以下の構成としてもよい。
前記装着部は、前記正多角形の外周形状をなす外周面を有し、この外周面から突出する形態の外周凸部が周設されており、前記被装着部には、前記外周面に沿った内周面から凹んだ形態の内周凹部が周設されている構成としてもよい。
このような構成によると、外周凸部を内周凹部に凹凸嵌合させることで装着部と被装着部を互いに装着することができる。
【０００８】
前記電線曲げ部材は、一対の半割体を互いに組み付けることで構成されているものとしてもよい。
このようにすると、一方の半割体に電線を曲げた状態で組み付けた後、他方の半割体を組み付ければよく、電線曲げ部材に電線を装着しやすくなるとともに、装着部に被装着部を装着しやすくなる。
【０００９】
一方の前記半割体と他方の前記半割体とは、ヒンジを介して互いに連結されている構成としてもよい。
このような構成によると、一対の半割体を一部品として扱うことができ、部品点数を増やさなくてもよい。
【発明の効果】
【００１０】
本明細書によって開示される技術によれば、１種類の電線曲げ部材で複数の曲げ方向に対応することができ、電線曲げ部材を成形する金型を１つだけ用意すれば足りる。
【図面の簡単な説明】
【００１１】
【図１】実施形態１のコネクタにおいて電線曲げ部材を分解して示した斜視図
【図２】コネクタの斜視図
【図３】電線曲げ部材の分解斜視図
【図４】ハウジングに一方の半割体を組み付けた状態を示す正面図
【図５】コネクタの正面図
【図６】実施形態２のコネクタにおいて一方の半割体に他方の半割体を組み付ける前の状態を示す斜視図
【図７】電線曲げ部材の斜視図
【図８】コネクタにおいて一方の半割体に他方の半割体を組み付ける前の状態を示す正面図
【図９】コネクタの正面図
【図１０】電線曲げ部材の正面図
【発明を実施するための形態】
【００１２】
＜実施形態１＞
実施形態１を図１から図５の図面を参照しながら説明する。本実施形態のコネクタ１０は、ハイブリッド車や電気自動車等のメンテナンス時に通電を遮断するためのサービスプラグとされている。このコネクタ１０は、図１に示すように、上方に開口したハウジング２０と、このハウジング２０に装着される電線曲げ部材４０とを備えて構成されている。また、電線曲げ部材４０は、一方の半割体５０と、他方の半割体６０とを備えて構成されている。
【００１３】
ハウジング２０は合成樹脂製であって、その内部には一対の端子収容部２１が設けられている。この端子収容部２１は、ハウジング２０の底部２２を上下方向に貫通する形態をなし、端子収容部２１のうち底部２２よりも下方に突出した部分は、電線曲げ部材４０を装着するための装着部２３とされている。
【００１４】
端子収容部２１は、角筒状をなして上下方向に延びる形態とされている。その端子収容部２１の内部には、図示しない雌端子が収容されるようになっている。この雌端子は、電線Ｗの端末に露出した芯線に接続されており、雌端子を端子収容部２１の内部に下方から収容すると、電線Ｗが装着部２３から下方に引き出されるようになっている。一対の端子収容部２１は、ハウジング２０の長尺方向における両端部にそれぞれ配されており、各端子収容部２１には、図示しないヒューズの両端から下方に延びて設けられた一対のバスバー端子が上方から装着されるようになっている。これにより、各雌端子は、各バスバー端子に接続され、各電線Ｗがヒューズを介して接続された電源回路が構成される。
【００１５】
上記したヒューズは、図示しないカバーの内部に収容されている。このカバーをハウジング２０に嵌合させると、通電状態となり、ハウジング２０から離脱させると、通電が遮断される。このカバーにはレバーが装着されており、このレバーに係合可能なピン２４が、ハウジング２０の外周側面に一対設けられている。したがって、カバーをハウジング２０に上方から装着して浅く嵌合させ、レバーを回動させると、レバーの溝にピン２４が係合してカム作用を発揮することで、カバーとハウジング２０が正規嵌合に至る。
【００１６】
装着部２３は、下方から見て正方形の外周形状をなし、４つの外周面２５が直角をなして互いに連なる形態とされている。この装着部２３は、角筒状をなして上下方向に貫通する形態をなし、端子収容部２１の内部と連通している。４つの外周面２５の下端部には、外周凸部２６が周設されている。外周凸部２６は、４つの外周面２５から突出する形態をなし、全周に亘って連続している。また、各外周面２５における外周凸部２６の突出高さは、ほぼ同じとされている。
【００１７】
電線曲げ部材４０は、図５に示すように、ハウジング２０の装着部２３から下方に取り出された電線Ｗを９０°曲げて左方に導出するように構成されている。図５においては、電線Ｗが左方に導出されているものの、電線曲げ部材４０の取り付け角度を９０°ずつ変更して選択的に装着することができるようになっており、例えば図５における紙面手前側に電線Ｗを導出したり、右方に電線Ｗを導出したり、紙面奥側に電線Ｗを導出することもできるようになっている。
【００１８】
電線曲げ部材４０は、装着部２３の外周凸部２６を全周に亘って囲む被装着部４１を有している。被装着部４１は、外周凸部２６が全周に亘って嵌合する内周凹部４２を有している。図４に示すように、外周凸部２６の外周面は、内周凹部４２の内周面に沿って配されている。また、図１に示すように、電線曲げ部材４０は、一方の半割体５０と他方の半割体６０とに分割されている。電線Ｗを内部に収容する電線収容凹部４３は、一方の半割体５０に設けられており、この電線収容凹部４３は、略Ｕ字状の断面を有して開設されている。他方の半割体６０は、電線収容凹部４３の開口を閉止する蓋部６３を有し、これらの半割体５０、６０を互いに組み付けることで蓋部６３と電線収容凹部４３からなる筒状部材が構成され、その内部に電線Ｗが曲げられた状態で収容される。
【００１９】
また、被装着部４１の内周凹部４２も、一方の半割体５０と他方の半割体６０とに分割されている。これらの分割位置は、被装着部４１の内周面において互いに平行をなす一対の周面をそれぞれ横切る位置とされている。したがって、一方の半割体５０を装着部２３にスライドさせながら装着した後、その装着方向とは反対方向から他方の半割体６０を装着部２３にスライドさせながら装着することができる。
【００２０】
一方の半割体５０には、複数の係止孔５１、５２が設けられている。また、他方の半割体６０には、各係止孔５１、５２に進入して係止する複数の係止片６１、６２が設けられている。電線曲げ部材４０の被装着部４１側の端部には一対の係止孔５１と一対の係止片６１とが配され、電線Ｗが導出される側の端部には一対の係止孔５２と一対の係止片６２とが配されている。一対の係止片６１が一対の係止孔５１にそれぞれ係止し、一対の係止片６２が一対の係止孔５２にそれぞれ係止する。図２に示すように、各係止片６１、６２が各係止孔５１、５２に係止することで、一方の半割体５０と他方の半割体６０とが一体に組み付けられた状態に保持されて電線曲げ部材４０が構成される。
【００２１】
外周凸部２６が内周凹部４２に全周に亘って凹凸嵌合した状態では、図４に示すように、内周凹部４２の内周上面が外周凸部２６の外周上面に上方から係止することで電線曲げ部材４０が装着部２３から下方に脱落することが防止される。この上方からの係止に加えて、内周凹部４２の内周下面が外周凸部２６の外周下面に下方から係止することで電線曲げ部材４０が電線Ｗの復元力を受けて装着部２３から傾いて外れることが防止される。また、外周凸部２６の外周側面が内周凹部４２の内周側面に沿って配されて互いに係止することで電線曲げ部材４０が装着部２３の軸心を中心とする回転方向において回り止めがなされる。
【００２２】
本実施形態は以上のような構成であって、続いてその作用を説明する。まず、電線Ｗの端末に接続された端子を装着部２３から端子収容部２１内に収容する。すると、電線Ｗが装着部２３から下方に導出された状態となる。次に、電線曲げ部材４０を構成する一方の半割体５０を装着部２３に取り付ける。このとき、一方の半割体５０の内周凹部４２を装着部２３の外周凸部２６に嵌合させつつ、一方の半割体５０をスライドさせながら装着部２３に装着する。引き続き、弧状をなす電線収容凹部４３に沿って電線Ｗを曲げながら収容し、一方の半割体５０に電線Ｗを組み付けた状態とする。
【００２３】
この後、他方の半割体６０の内周凹部４２を装着部２３の外周凸部２６に嵌合させつつ、他方の半割体６０をスライドさせながら装着部２３に装着していく。これにより、各係止片６１、６２が各係止孔５１、５２に進入して係止することで一方の半割体５０と他方の半割体６０とが一体となって電線曲げ部材４０が構成される。また、電線収容凹部４３が蓋部６３に閉止されることで筒状に構成された電線曲げ部材４０の内部に電線Ｗが曲げられた状態で収容されるとともに、電線曲げ部材４０の被装着部４１がハウジング２０の装着部２３に装着される。
【００２４】
ところで、一方の半割体５０は、装着部２３に対して４方向から装着可能とされている。本実施形態では、装着部２３が正方形の外周形状、すなわち正四角形の外周形状とされているため、装着部２３が４つの外周面２５を有し、これに対応して被装着部４１が４つの内周面４４を有するものとされている。この場合、３６０°を外周面２５もしくは内周面４４の総数である４で除することによって算出された９０°が、装着部２３に対する被装着部４１の装着可能角度となる。したがって、被装着部４１は、装着部２３に対して４つの方向から選択的に装着可能となる。
【００２５】
ここで、装着部２３に対する被装着部４１の装着可能角度が９０°である場合について具体的に説明する。まず、装着部２３に対して被装着部４１を左方から装着できる場合、ここからさらに被装着部４１を反時計回りに９０°回転させて装着部２３に対して手前側から装着することもできる。また、ここからさらに被装着部４１を反時計回りに９０°回転させて装着部２３に対して右方から装着することもできる。また、ここからさらに被装着部４１を反時計回りに９０°回転させて装着部２３に対して奥側から装着することもできる。このように、１種類の電線曲げ部材４０のみで装着部２３から取り出された電線Ｗをその取出方向とは異なる方向に曲げて複数の方向に導出することができる。
【００２６】
以上のように本実施形態では、被装着部４１を装着部２３に対して所定の角度毎に選択的に装着可能とされているため、電線Ｗの曲げ方向に応じて複数の電線曲げ部材４０を用意しなくてもよい。ここで、所定の角度とは、正三角形の場合、１２０°であり、正四角形（正方形）の場合、９０°であり、正五角形の場合、７２°であり、正六角形の場合、６０°である。したがって、１種類の電線曲げ部材４０で複数の曲げ方向に対応することができ、電線曲げ部材４０を成形する金型を１つだけ用意すれば足りる。
【００２７】
装着部２３は、正多角形の外周形状をなす外周面２５を有し、この外周面２５から突出する形態の外周凸部２６が周設されており、被装着部４１には、外周面２５に沿った内周面４４から凹んだ形態の内周凹部４２が周設されている構成としてもよい。
このような構成によると、外周凸部２６を内周凹部４２に凹凸嵌合させることで装着部２３と被装着部４１を互いに装着することができる。
【００２８】
電線曲げ部材４０は、一対の半割体５０、６０を互いに組み付けることで構成されているものとしてもよい。
このようにすると、一方の半割体５０に電線Ｗを曲げた状態で組み付けた後、他方の半割体６０を組み付ければよく、電線曲げ部材４０に電線Ｗを装着しやすくなるとともに、装着部２３に被装着部４１を装着しやすくなる。
【００２９】
＜実施形態２＞
次に、実施形態２を図６から図１０の図面を参照しながら説明する。本実施形態は、実施形態１の電線曲げ部材４０の構成を一部変更したものであって、その他の構成は同じである。実施形態１と同じ構成については実施形態１と同一の符号を用いるものとし、重複する説明は省略するものとする。
【００３０】
本実施形態のコネクタ１１は、図６に示すように、ハウジング２０と、電線曲げ部材７０とを備えて構成されている。この電線曲げ部材７０は、装着部２３に装着される被装着部７１を有している。また、被装着部７１は、図１０に示すように、実施形態１の内周面４４と同じ４つの内周面７４を有している。これらの内周面７４には、内周凹部７２が全周に亘って凹設されている。また、電線曲げ部材７０は、被装着部７１の下端に連なって弧状をなす電線収容部７３を有している。
【００３１】
電線曲げ部材７０は、一方の半割体８０と、他方の半割体９０とを備えて構成されている。他方の半割体９０は、アッパー部材９１とロアー部材９２とからなり、アッパー部材９１は、一方の半割体８０の一端側８１にアッパーヒンジ１００を介して連結され、ロアー部材９２は、一方の半割体８０の他端側８２にロアーヒンジ１０１を介して連結されている。すなわち、電線曲げ部材７０は、一方の半割体８０と、アッパー部材９１と、アッパーヒンジ１００と、ロアー部材９２と、ロアーヒンジ１０１とが互いに連結された一部品として構成されている。
【００３２】
アッパー部材９１は、図７に示すように、実施形態１の係止片６１と同じ構成の係止片９３を有している。この係止片９３は、アッパー部材９１の両側縁のうちアッパーヒンジ１００とは反対側の側縁に設けられている。また、アッパー部材９１は、図７の矢線Ａで示すように、アッパーヒンジ１００を中心として回動可能とされている。一方の半割体８０の一端側８１には、係止片９３が進入して係止可能な係止孔８３が設けられている。したがって、アッパー部材９１を一方の半割体８０の一端側８１に組み付けると、係止片９３が係止孔８３に進入して係止することで被装着部７１が構成される。これに伴って、被装着部７１の内周に内周凹部７２が全周に亘って凹設される。
【００３３】
ロアー部材９２は、実施形態１の蓋部６３に相当する部材であって、実施形態１の係止片６２と同じ構成の係止片９４を有している。この係止片９４は、ロアー部材９２の両側縁のうちロアーヒンジ１０１とは反対側の側縁に設けられている。また、ロアー部材９２は、図７の矢線Ｂで示すように、ロアーヒンジ１０１を中心として回動可能とされている。一方の半割体８０の他端側８２には、係止片９４が進入して係止可能な係止孔８４が設けられている。したがって、ロアー部材９２を一方の半割体８０の他端側８２に組み付けると、係止片９４が係止孔８４に進入して係止することで筒状の電線収容部７３が構成される。
【００３４】
このような電線曲げ部材７０によると、図８に示すように、一方の半割体８０に電線Ｗを曲げながら組み付け、一方の半割体８０の一端側８１を装着部２３にスライドさせながら装着する。続いて、図９に示すように、アッパー部材９１を一方の半割体８０の一端側８１に装着し、ロアー部材９２を一方の半割体８０の他端側８２に装着する。これにより、装着部２３の外周凸部２６が被装着部７１の内周凹部７２に全周に亘って凹凸嵌合し、被装着部７１が装着部２３に対して抜け止め、かつ、回り止めされた状態で取り付けられる。なお、電線曲げ部材７０の装着手順としては、被装着部７１を装着部２３に装着した後、電線Ｗを一方の半割体８０に組み付けるようにしてもよい。このようにすれば、被装着部７１が装着部２３から外れないように手で押さえておく必要がなく、電線Ｗの組み付け作業が容易になる。
【００３５】
以上のように本実施形態では、一方の半割体８０と他方の半割体９０とは、ヒンジ（アッパーヒンジ１００、ロアーヒンジ１０１）を介して互いに連結されている構成としたから、一対の半割体８０、９０を一部品として扱うことができ、部品点数を増やさなくてもよい。
【００３６】
＜他の実施形態＞
本明細書で開示される技術は上記記述及び図面によって説明した実施形態に限定されるものではなく、例えば次のような種々の態様も含まれる。
（１）上記実施形態では、ハウジング２０の装着部２３に外周凸部２６が設けられ、被装着部に内周凹部が設けられているものの、ハウジングの装着部の外周に凹部を周設し、被装着部の内周に凸部を周設してもよい。
【００３７】
（２）上記実施形態では、装着部２３と被装着部４１が凹凸嵌合によって保持される構成としたが、装着部と被装着部をテープ巻することによって保持してもよい。
【００３８】
（３）上記実施形態では、一対の装着部２３を有するハウジング２０を例示しているものの、装着部を１つだけ設けてもよいし、３つ以上設けてもよい。
【００３９】
（４）上記実施形態では、正方形の外周形状を有する装着部２３を例示しているものの、装着部の外周形状は、正三角形でもよいし、正五角形でもよい。また、被装着部を構成する一対の半割体を装着部にスライドさせながら装着する場合には、一対の平行な周面を有する正六角形や正八角形の外周形状を有する装着部とすることが望ましい。
【００４０】
（５）実施形態２では、他方の半割体９０がアッパー部材９１とロアー部材９２からなるものを例示しているものの、アッパー部材とロアー部材が一体で構成され、１つのヒンジを介して一方の半割体８０と連結されているものとしてもよい。
【符号の説明】
【００４１】
１０、１１…コネクタ
２０…ハウジング
２１…端子収容部
２３…装着部
２５…外周面（周面）
２６…外周凸部
４０、７０…電線曲げ部材
４１、７１…被装着部
４２、７２…内周凹部
４４、７４…内周面（周面）
５０、８０…一方の半割体
６０、９０…他方の半割体
１００…アッパーヒンジ
１０１…ロアーヒンジ
Ｗ…電線
【図１】
2015219958.tif 000003
【図２】
2015219958.tif 000004
【図３】
2015219958.tif 000005
【図４】
2015219958.tif 000006
【図５】
2015219958.tif 000007
【図６】
2015219958.tif 000008
【図７】
2015219958.tif 000009
【図８】
2015219958.tif 000010
【図９】
2015219958.tif 000011
【図１０】
2015219958.tif 000012